(57)【特許請求の範囲】
【請求項１】
第１の画像処理装置と第２の画像処理装置とが、通信網を介して接続されるとともに、前記通信網を経由しないで情報の入出力を行う情報入出力手段を備える画像処理システムであって、
前記第１の画像処理装置が、
画像処理に用いる第１の画像処理用情報を利用者から受け付ける第１の画像処理用情報受付手段と、
前記第１の画像処理用情報に基づいて、前記第２の画像処理装置が提示すべきユーザインタフェースを決定するユーザインタフェース決定手段と、
前記ユーザインタフェース決定手段により決定される前記ユーザインタフェースを特定するユーザインタフェース特定情報を、前記情報入出力手段により前記第２の画像処理装置に出力するユーザインタフェース特定情報出力手段と、
前記第１の画像処理用情報に対応する識別子を、前記情報入出力手段により前記第２の画像処理装置に出力する画像処理用情報出力手段と、を含み、
前記第２の画像処理装置が、
前記第１の画像処理装置から前記ユーザインタフェース特定情報を、前記情報入出力手段により受け付けるユーザインタフェース特定情報受付手段と、
前記ユーザインタフェース特定情報により特定されるユーザインタフェースを示すユーザインタフェース情報をユーザインタフェース情報記憶手段から取得するユーザインタフェース情報取得手段と、
前記識別子を前記第１の画像処理装置から、前記情報入出力手段により受け付ける識別子受付手段と、
前記識別子受付手段が受け付ける前記識別子に対応する前記第１の画像処理用情報を、前記通信網を経由して取得する画像処理用情報取得手段と、
前記ユーザインタフェース情報が示す前記ユーザインタフェースを提示するユーザインタフェース提示手段と、
前記ユーザインタフェース提示手段により提示されるユーザインタフェースを介して、前記画像処理に用いる第２の画像処理用情報を利用者から受け付ける第２の画像処理用情報受付手段と、
前記第１の画像処理用情報及び前記第２の画像処理用情報を用いて、前記画像処理を実行する画像処理実行手段と、を含み、
前記第１の画像処理装置と前記第２の画像処理装置とのいずれか一方が携帯情報端末であり、他方が用紙入力手段と用紙出力手段とのうち少なくとも一方を備える、
ことを特徴とする画像処理システム。
【請求項２】
画像処理に用いる第１の画像処理用情報を利用者から受け付ける第１の画像処理用情報受付手段と、前記第１の画像処理用情報に基づいて、提示すべきユーザインタフェースを決定するユーザインタフェース決定手段と、前記ユーザインタフェース決定手段により決定される前記ユーザインタフェースを特定するユーザインタフェース特定情報を出力するユーザインタフェース特定情報出力手段と、前記第１の画像処理用情報に対応する識別子を出力する画像処理用情報出力手段と、を含む他の画像処理装置と通信網を介して接続する手段と、
前記通信網を経由しないで情報の入出力を行う情報入出力手段と、
前記他の画像処理装置から前記ユーザインタフェース特定情報を、前記情報入出力手段により受け付けるユーザインタフェース特定情報受付手段と、
前記ユーザインタフェース特定情報により特定されるユーザインタフェースを示すユーザインタフェース情報をユーザインタフェース情報記憶手段から取得するユーザインタフェース情報取得手段と、
前記識別子を前記他の画像処理装置から、前記情報入出力手段により受け付ける識別子受付手段と、
前記識別子受付手段が受け付ける前記識別子に対応する前記第１の画像処理用情報を、前記通信網を経由して取得する画像処理用情報取得手段と、
前記ユーザインタフェース情報が示す前記ユーザインタフェースを提示するユーザインタフェース提示手段と、
前記ユーザインタフェース提示手段により提示されるユーザインタフェースを介して、前記画像処理に用いる第２の画像処理用情報を利用者から受け付ける第２の画像処理用情報受付手段と、
前記第１の画像処理用情報及び前記第２の画像処理用情報を用いて、前記画像処理を実行する画像処理実行手段と、
を含むことを特徴とする画像処理装置。
【請求項３】
画像処理に用いる第１の画像処理用情報と、ユーザインタフェースを介して利用者から受け付ける第２の画像処理用情報とを用いて前記画像処理を実行する他の画像処理装置と通信網を介して接続する手段と、
前記通信網を経由しないで情報の入出力を行う情報入出力手段と、
前記第１の画像処理用情報を利用者から受け付ける第１の画像処理用情報受付手段と、
前記第１の画像処理用情報に基づいて、提示すべきユーザインタフェースを決定するユーザインタフェース決定手段と、
前記ユーザインタフェース決定手段により決定される前記ユーザインタフェースを特定するユーザインタフェース特定情報を、前記情報入出力手段により前記他の画像処理装置に出力するユーザインタフェース特定情報出力手段と、
前記第１の画像処理用情報に対応する識別子を、前記情報入出力手段により前記他の画像処理装置に出力する画像処理用情報出力手段と、
を含むことを特徴とする画像処理装置。
【請求項４】
画像処理に用いる第１の画像処理用情報を利用者から受け付ける第１の画像処理用情報受付手段と、前記第１の画像処理用情報に基づいて、提示すべきユーザインタフェースを決定するユーザインタフェース決定手段と、前記ユーザインタフェース決定手段により決定される前記ユーザインタフェースを特定するユーザインタフェース特定情報を出力するユーザインタフェース特定情報出力手段と、前記第１の画像処理用情報に対応する識別子を出力する画像処理用情報出力手段と、を含む他の画像処理装置と通信網を介して接続する手段、
前記通信網を経由しないで情報の入出力を行う情報入出力手段、
前記他の画像処理装置から前記ユーザインタフェース特定情報を、前記情報入出力手段により受け付けるユーザインタフェース特定情報受付手段、
前記ユーザインタフェース特定情報により特定されるユーザインタフェースを示すユーザインタフェース情報をユーザインタフェース情報記憶手段から取得するユーザインタフェース情報取得手段、
前記識別子を前記他の画像処理装置から、前記情報入出力手段により受け付ける識別子受付手段、
前記識別子受付手段が受け付ける前記識別子に対応する前記第１の画像処理用情報を、前記通信網を経由して取得する画像処理用情報取得手段、
前記ユーザインタフェース情報が示す前記ユーザインタフェースを提示するユーザインタフェース提示手段、
前記ユーザインタフェース提示手段により提示されるユーザインタフェースを介して、前記画像処理に用いる第２の画像処理用情報を利用者から受け付ける第２の画像処理用情報受付手段、
前記第１の画像処理用情報及び前記第２の画像処理用情報を用いて、前記画像処理を実行する画像処理実行手段、
としてコンピュータを機能させるためのプログラム。
【請求項５】
画像処理に用いる第１の画像処理用情報と、ユーザインタフェースを介して利用者から受け付ける第２の画像処理用情報とを用いて前記画像処理を実行する他の画像処理装置と通信網を介して接続する手段、
前記通信網を経由しないで情報の入出力を行う情報入出力手段、
前記第１の画像処理用情報を利用者から受け付ける第１の画像処理用情報受付手段、
前記第１の画像処理用情報に基づいて、提示すべきユーザインタフェースを決定するユーザインタフェース決定手段、
前記ユーザインタフェース決定手段により決定される前記ユーザインタフェースを特定するユーザインタフェース特定情報を、前記情報入出力手段により前記他の画像処理装置に出力するユーザインタフェース特定情報出力手段、
前記第１の画像処理用情報に対応する識別子を、前記情報入出力手段により前記他の画像処理装置に出力する画像処理用情報出力手段、
としてコンピュータを機能させるためのプログラム。
【発明の詳細な説明】
【技術分野】
【０００１】
本発明は、画像処理システム、画像処理装置及びプログラムに関する。
【背景技術】
【０００２】
複数の画像処理装置が連携して一連の処理を実行する画像処理システムが存在する。特許文献１には、携帯電話と印刷装置とが連携して一連の処理を実行する技術が開示されている。
【特許文献１】特開２００４−２９５３２５号公報
【発明の開示】
【発明が解決しようとする課題】
【０００３】
複数の画像処理装置が連携して一連の処理を実行する際に、それぞれの画像処理装置から提供されるユーザインタフェースが予め決まっていると、１つの画像処理装置に対して利用者が行った操作に応じたユーザインタフェースを他の画像処理装置から出力するなどといった、画像処理装置間のユーザインタフェースの柔軟な連携が困難になる。
【０００４】
本発明は、複数の画像処理装置が連携して一連の処理を実行する際における、画像処理装置間のユーザインタフェース連携の柔軟性が向上する画像処理システム、画像処理装置及びプログラムを提供することを目的とする。
【課題を解決するための手段】
【０００５】
請求項１に記載の発明は、第１の画像処理装置と第２の画像処理装置とが、通信網を介して接続されるとともに、前記通信網を経由しないで情報の入出力を行う情報入出力手段を備える画像処理システムであって、前記第１の画像処理装置が、画像処理に用いる第１の画像処理用情報を利用者から受け付ける第１の画像処理用情報受付手段と、前記第１の画像処理用情報に基づいて、前記第２の画像処理装置が提示すべきユーザインタフェースを決定するユーザインタフェース決定手段と、前記ユーザインタフェース決定手段により決定される前記ユーザインタフェースを特定するユーザインタフェース特定情報を、前記情報入出力手段により前記第２の画像処理装置に出力するユーザインタフェース特定情報出力手段と、前記第１の画像処理用情報に対応する識別子を、前記情報入出力手段により前記第２の画像処理装置に出力する画像処理用情報出力手段と、を含み、前記第２の画像処理装置が、前記第１の画像処理装置から前記ユーザインタフェース特定情報を、前記情報入出力手段により受け付けるユーザインタフェース特定情報受付手段と、前記ユーザインタフェース特定情報により特定されるユーザインタフェースを示すユーザインタフェース情報をユーザインタフェース情報記憶手段から取得するユーザインタフェース情報取得手段と、前記識別子を前記第１の画像処理装置から、前記情報入出力手段により受け付ける識別子受付手段と、前記識別子受付手段が受け付ける前記識別子に対応する前記第１の画像処理用情報を、前記通信網を経由して取得する画像処理用情報取得手段と、前記ユーザインタフェース情報が示す前記ユーザインタフェースを提示するユーザインタフェース提示手段と、前記ユーザインタフェース提示手段により提示されるユーザインタフェースを介して、前記画像処理に用いる第２の画像処理用情報を利用者から受け付ける第２の画像処理用情報受付手段と、前記第１の画像処理用情報及び前記第２の画像処理用情報を用いて、前記画像処理を実行する画像処理実行手段と、を含み、前記第１の画像処理装置と前記第２の画像処理装置とのいずれか一方が携帯情報端末であり、他方が用紙入力手段と用紙出力手段とのうち少なくとも一方を備えることとしたものである。
【０００６】
請求項２に記載の発明は、画像処理装置であって、画像処理に用いる第１の画像処理用情報を利用者から受け付ける第１の画像処理用情報受付手段と、前記第１の画像処理用情報に基づいて、提示すべきユーザインタフェースを決定するユーザインタフェース決定手段と、前記ユーザインタフェース決定手段により決定される前記ユーザインタフェースを特定するユーザインタフェース特定情報を出力するユーザインタフェース特定情報出力手段と、前記第１の画像処理用情報に対応する識別子を出力する画像処理用情報出力手段と、を含む他の画像処理装置と通信網を介して接続する手段と、前記通信網を経由しないで情報の入出力を行う情報入出力手段と、前記他の画像処理装置から前記ユーザインタフェース特定情報を、前記情報入出力手段により受け付けるユーザインタフェース特定情報受付手段と、前記ユーザインタフェース特定情報により特定されるユーザインタフェースを示すユーザインタフェース情報をユーザインタフェース情報記憶手段から取得するユーザインタフェース情報取得手段と、前記識別子を前記他の画像処理装置から、前記情報入出力手段により受け付ける識別子受付手段と、前記識別子受付手段が受け付ける前記識別子に対応する前記第１の画像処理用情報を、前記通信網を経由して取得する画像処理用情報取得手段と、前記ユーザインタフェース情報が示す前記ユーザインタフェースを提示するユーザインタフェース提示手段と、前記ユーザインタフェース提示手段により提示されるユーザインタフェースを介して、前記画像処理に用いる第２の画像処理用情報を利用者から受け付ける第２の画像処理用情報受付手段と、前記第１の画像処理用情報及び前記第２の画像処理用情報を用いて、前記画像処理を実行する画像処理実行手段と、を含むこととしたものである。
【０００７】
請求項３に記載の発明は、画像処理装置であって、画像処理に用いる第１の画像処理用情報と、ユーザインタフェースを介して利用者から受け付ける第２の画像処理用情報とを用いて前記画像処理を実行する他の画像処理装置と通信網を介して接続する手段と、前記通信網を経由しないで情報の入出力を行う情報入出力手段と、前記第１の画像処理用情報を利用者から受け付ける第１の画像処理用情報受付手段と、前記第１の画像処理用情報に基づいて、提示すべきユーザインタフェースを決定するユーザインタフェース決定手段と、前記ユーザインタフェース決定手段により決定される前記ユーザインタフェースを特定するユーザインタフェース特定情報を、前記情報入出力手段により前記他の画像処理装置に出力するユーザインタフェース特定情報出力手段と、前記第１の画像処理用情報に対応する識別子を、前記情報入出力手段により前記他の画像処理装置に出力する画像処理用情報出力手段と、を含むこととしたものである。
【０００８】
請求項４に記載の発明は、プログラムであって、画像処理に用いる第１の画像処理用情報を利用者から受け付ける第１の画像処理用情報受付手段と、前記第１の画像処理用情報に基づいて、提示すべきユーザインタフェースを決定するユーザインタフェース決定手段と、前記ユーザインタフェース決定手段により決定される前記ユーザインタフェースを特定するユーザインタフェース特定情報を出力するユーザインタフェース特定情報出力手段と、前記第１の画像処理用情報に対応する識別子を出力する画像処理用情報出力手段と、を含む他の画像処理装置と通信網を介して接続する手段、前記通信網を経由しないで情報の入出力を行う情報入出力手段、前記他の画像処理装置から前記ユーザインタフェース特定情報を、前記情報入出力手段により受け付けるユーザインタフェース特定情報受付手段、前記ユーザインタフェース特定情報により特定されるユーザインタフェースを示すユーザインタフェース情報をユーザインタフェース情報記憶手段から取得するユーザインタフェース情報取得手段、前記識別子を前記他の画像処理装置から、前記情報入出力手段により受け付ける識別子受付手段、前記識別子受付手段が受け付ける前記識別子に対応する前記第１の画像処理用情報を、前記通信網を経由して取得する画像処理用情報取得手段、前記ユーザインタフェース情報が示す前記ユーザインタフェースを提示するユーザインタフェース提示手段、前記ユーザインタフェース提示手段により提示されるユーザインタフェースを介して、前記画像処理に用いる第２の画像処理用情報を利用者から受け付ける第２の画像処理用情報受付手段、前記第１の画像処理用情報及び前記第２の画像処理用情報を用いて、前記画像処理を実行する画像処理実行手段、としてコンピュータを機能させることとしたものである。
【０００９】
請求項５に記載の発明は、プログラムであって、画像処理に用いる第１の画像処理用情報と、ユーザインタフェースを介して利用者から受け付ける第２の画像処理用情報とを用いて前記画像処理を実行する他の画像処理装置と通信網を介して接続する手段、前記通信網を経由しないで情報の入出力を行う情報入出力手段、前記第１の画像処理用情報を利用者から受け付ける第１の画像処理用情報受付手段、前記第１の画像処理用情報に基づいて、提示すべきユーザインタフェースを決定するユーザインタフェース決定手段、前記ユーザインタフェース決定手段により決定される前記ユーザインタフェースを特定するユーザインタフェース特定情報を、前記情報入出力手段により前記他の画像処理装置に出力するユーザインタフェース特定情報出力手段、前記第１の画像処理用情報に対応する識別子を、前記情報入出力手段により前記他の画像処理装置に出力する画像処理用情報出力手段、としてコンピュータを機能させることとしたものである。
【００１０】
また、上記のプログラムはコンピュータ可読な情報記憶媒体に格納することもできる。
【発明の効果】
【００１１】
請求項１に記載の発明によれば、用紙入力手段または用紙出力手段を備える画像処理装置と、携帯情報端末とが連携して一連の処理を実行する際における、インターフェース連携の柔軟性を、本構成を採用しない場合と比較して、向上させることができる。
【００１２】
請求項２，３，４，５に記載の発明によれば、複数の画像処理装置が連携して一連の処理を実行する際における、画像処理装置間のユーザインタフェース連携の柔軟性が向上する。
【発明を実施するための最良の形態】
【００１３】
以下、本発明の実施形態について図面に基づき詳細に説明する。
【００１４】
図１のネットワーク構成図に示すように、本実施形態における画像処理システム１は、携帯情報端末２と、印刷装置３と、印刷管理装置４と、ファイルサーバ５とを含んで構成される。携帯情報端末２は、電話網やインターネットなどの通信網（ネットワーク）６に接続されている。なお、ネットワーク６は有線であっても無線であっても構わない。
【００１５】
そして、印刷装置３と、印刷管理装置４と、ファイルサーバ５とは、ＬＡＮ（ローカル・エリア・ネットワーク）７に接続されており、印刷装置３と、印刷管理装置４と、ファイルサーバ５とは通信することができるようになっている。また、ネットワーク６とＬＡＮ７とは接続されており、携帯情報端末２は、ＬＡＮ７に接続された印刷装置３や印刷管理装置４やファイルサーバ５と通信することができるようになっている。
【００１６】
図１に示す印刷管理装置４、及び、ファイルサーバ５は、例えば、ＣＰＵ等の制御装置、ハードディスク等の記憶装置、ディスプレイ等の出力装置、キーボード等の入力装置、ネットワークボード等の通信装置を備えた公知のサーバコンピュータシステムにより構成される。
【００１７】
図２（ａ）は、本実施形態に係る携帯情報端末２のハードウェア構成を示す図である。携帯情報端末２は、制御部２０、記憶部２１、ユーザインタフェース（ＵＩ）部２２、通信部２３、入出力部２４を含んで構成される。制御部２０、記憶部２１、ＵＩ部２２、通信部２３、入出力部２４は、バス２６を介して接続される。
【００１８】
制御部２０はＣＰＵ等のプログラム制御デバイスであり、携帯情報端末２にインストールされるプログラムに従って動作する。なお、このプログラムは、例えば、ＣＤ−ＲＯＭ、ＤＶＤ−ＲＯＭなどのコンピュータ可読な情報伝達媒体を介して、あるいは、インターネットなどの通信ネットワークを介して携帯情報端末２に供給される。
【００１９】
記憶部２１は、ＲＡＭ等の記憶素子やハードディスクなどである。記憶部２１には、制御部２０によって実行されるプログラムなどが記憶される。また、記憶部２１は、制御部２０のワークメモリとしても動作する。
【００２０】
ＵＩ部２２は、ディスプレイ、マイク、スピーカー、ボタンなどであり、利用者が行った操作の内容や、利用者が入力した音声を制御部２０に出力する。また、このＵＩ部２２は、制御部２０から入力される指示に従って情報を表示出力したり音声出力したりする。
【００２１】
通信部２３は、例えば、ネットワークインタフェースなどであり、制御部２０から入力される指示に従って、ネットワーク６を介して、印刷管理装置４やファイルサーバ５などへ情報を送信する。また、この通信部２３は、ネットワーク６を介して受信される情報を制御部２０に出力する。
【００２２】
入出力部２４は、印刷装置３と近接またはそれに準じた距離での非接触通信を行って、印刷装置３から出力される情報を読み取り、制御部２０に出力する。また、この入出力部２４は、制御部２０から入力される情報を近接またはそれに準じた距離での非接触通信により出力するものである。この入出力部２４には、ＩＣカードリーダライターモジュールやＩＣカードモジュールを用いると良い。もちろん、これに限らず、近接またはそれに準じた距離で非接触通信を行って、情報を入出力するものであれば他のどんなものを用いても構わない。具体的には、例えば、入出力部２４はＩｒＳｉｍｐｌｅなどの赤外線を用いる通信モジュールなどであっても構わない。
【００２３】
図２（ｂ）は、本実施形態に係る印刷装置３のハードウェア構成を示す図である。印刷装置３は、制御部３０、記憶部３１、ユーザインタフェース（ＵＩ）部３２、通信部３３、入出力部３４、プリンタ部３５を含んで構成される。制御部３０、記憶部３１、ＵＩ部３２、通信部３３、入出力部３４、プリンタ部３５は、バス３６を介して接続される。
【００２４】
制御部３０はＣＰＵ等のプログラム制御デバイスであり、印刷装置３にインストールされるプログラムに従って動作する。なお、このプログラムは、例えば、ＣＤ−ＲＯＭ、ＤＶＤ−ＲＯＭなどのコンピュータ可読な情報伝達媒体を介して、あるいは、インターネットなどの通信ネットワークを介して印刷装置３に供給される。
【００２５】
記憶部３１は、ＲＡＭ等の記憶素子やハードディスクなどである。記憶部３１には、制御部３０によって実行されるプログラムなどが格納される。また、記憶部３１は、制御部３０のワークメモリとしても動作する。
【００２６】
ＵＩ部３２は、液晶タッチパネルや、ディスプレイ、テンキーなどのキーパッドなどであり、利用者が行った操作の内容を制御部３０に出力する。また、このＵＩ部３２は、制御部３０から入力される指示に従って情報を表示出力する。
【００２７】
通信部３３は、例えば、ネットワークインタフェースなどであり、制御部３０から入力される指示に従って、ＬＡＮ７を介して情報を送信する。また、この通信部３３は、ＬＡＮ７を介して受信される情報を制御部３０に出力する。
【００２８】
入出力部３４は、携帯情報端末２と近接またはそれに準じた距離での非接触通信を行って、携帯情報端末２から出力される情報を読み取り、制御部３０に出力する。また、この入出力部３４は、制御部３０から入力される情報を近接またはそれに準じた距離での非接触通信により出力するものである。この入出力部３４には、ＩＣカードリーダライターモジュールやＩＣカードモジュールを用いると良い。もちろん、これに限らず、近接またはそれに準じた距離で非接触通信を行って、情報を入出力するものであれば他のどんなものを用いても構わない。具体的には、例えば、入出力部３４はＩｒＳｉｍｐｌｅなどの赤外線を用いる通信モジュールなどであっても構わない。
【００２９】
プリンタ部３５は、用紙出力部を備えており、制御部３０から入力される指示に従って、用紙などの記録媒体に画像を形成する。
【００３０】
次に、画像処理システム１で実現される機能について説明する。本実施形態に係る画像処理システム１は、機能的には、図３の機能ブロック図に示すように、第１の画像処理用情報受付部４０−１、第２の画像処理用情報受付部４０−２、ユーザインタフェース決定部４１、ユーザインタフェース特定情報出力部４２、ユーザインタフェース特定情報受付部４３、ユーザインタフェース情報記憶部４４、ユーザインタフェース情報取得部４５、ユーザインタフェース提示部４６、画像処理用情報記憶部４７、画像処理用情報出力部４８、識別子受付部４９、画像処理用情報取得部５０、画像処理実行部５１、を含むものとして機能する。
【００３１】
これらの要素は、コンピュータである携帯情報端末２や印刷装置３などにインストールされたプログラムを、携帯情報端末２に含まれるＣＰＵ等の制御部２０や印刷装置３に含まれるＣＰＵ等の制御部３０などで実行することにより実現されている。
【００３２】
第１の画像処理用情報受付部４０−１は、携帯情報端末２の制御部２０とＵＩ部２２とを主として実現される。第１の画像処理用情報受付部４０−１は、画像処理に用いる第１の画像処理用情報６０−１（図４参照）を利用者から受け付ける。
【００３３】
図４は、第１の画像処理用情報６０−１のデータ構造の一例を示す図である。本実施形態では、図４に示すように、第１の画像処理用情報６０−１は、ジョブ識別子（ジョブＩＤ）６１、コマンド情報６２、ファイル所在情報６３を含んでいる。ジョブＩＤ６１は、第１の画像処理用情報６０−１の識別子である。コマンド情報６２は、印刷装置３で実行する対象となるコマンドを示す情報である。ファイル所在情報６３は、コマンド情報６２が示すコマンドを実行する対象となるファイルの所在を示す情報である。具体的には、例えば、ファイル所在情報６３は、コマンドを実行する対象となるファイルのファイルサーバ５内におけるパス、ＵＲＬ、名称などを示している。なお、もちろん、第１の画像処理用情報６０−１に含まれる情報は、コマンド情報６２やファイル所在情報６３に限定されない。
【００３４】
そして、本実施形態では、第１の画像処理用情報受付部４０−１は、図５（ａ）に示すような、リンク６４が複数表示されたコマンド受付画面６５を、液晶ディスプレイなどの、携帯情報端末２のＵＩ部２２上に表示出力する。そして、利用者が、これらのリンク６４のうちの１つ（例えば、「印刷」と表示されているリンク６４）をクリックすると、第１の画像処理用情報受付部４０−１は、このリンク６４に対応するコマンドを示すコマンド情報６２（例えば、「印刷」を示すコマンド情報６２）を受け付ける。
【００３５】
すると、第１の画像処理用情報受付部４０−１は、図５（ｂ）に示すような、リンク６４が複数表示された印刷対象ファイル選択画面６６を、液晶ディスプレイなどの、携帯情報端末２のＵＩ部２２上に表示出力する。印刷対象ファイル選択画面６６内のリンク６４は、それぞれファイルサーバ５が備える記憶装置に記憶されているファイルの名称を示している。また、これらのリンク６４は、それぞれのリンク６４に対応するファイルのファイルサーバ５内における所在を示すファイル所在情報６３と関連付けられている。そして、利用者が、これらのリンク６４のうちの１つ（例えば、「提案書」と表示されているリンク６４）をクリックすると、第１の画像処理用情報受付部４０−１は、このリンク６４に関連付けられたファイル所在情報６３を受け付ける。
【００３６】
そして、第１の画像処理用情報受付部４０−１は、図５（ｃ）に示すような、ＩＣカード情報出力用画面６７を、携帯情報端末２のＵＩ部２２上に表示出力する。
【００３７】
ユーザインタフェース決定部４１は、携帯情報端末２の制御部２０を主として実現される。ユーザインタフェース決定部４１は、第１の画像処理用情報６０−１に基づいて、印刷装置３が提示すべきユーザインタフェース（例えば、印刷装置３が表示出力すべき画面）を決定する。
【００３８】
ユーザインタフェース特定情報出力部４２は、携帯情報端末２の制御部２０と入出力部２４とを主として実現される。ユーザインタフェース特定情報出力部４２は、ユーザインタフェース決定部４１により決定されるユーザインタフェース（例えば、印刷装置３が表示出力すべき画面）を特定するユーザインタフェース特定情報を、ネットワーク６を経由しないで印刷装置３に出力する。
【００３９】
ユーザインタフェース特定情報受付部４３は、印刷装置３の制御部３０と入出力部３４とを主として実現される。ユーザインタフェース特定情報受付部４３は、ネットワーク６を経由しないで、携帯情報端末２からユーザインタフェース特定情報を受け付ける。
【００４０】
ユーザインタフェース情報記憶部４４は、印刷管理装置４が備える記憶装置を主として実現される。ユーザインタフェース情報記憶部４４は、ユーザインタフェースを示すユーザインタフェース情報を記憶する。本実施形態では、具体的には、ユーザインタフェース情報記憶部４４は、画面管理情報７０（図６参照）を記憶する。
【００４１】
図６は、画面管理情報７０のデータ構造の一例を示す図である。図６に示すように、画面管理情報７０は、ユーザインタフェース特定情報の一例である出力対象画面識別子（出力対象画面ＩＤ）７１と、ユーザインタフェース情報の一例である出力対象画面情報７２を含んでいる。
【００４２】
出力対象画面ＩＤ７１は、画面管理情報７０の識別子である。そして、出力対象画面情報７２は、印刷装置３に表示出力すべき画面を示す情報である。具体的には、例えば、出力対象画面情報７２は、図７に示すような、メッセージ表示部７３と、実行ボタン７４と、中止ボタン７５とを含む印刷画面７６を示す情報である。ユーザインタフェース情報記憶部４４は、本実施形態では、具体的には、例えば、値が「００１」である出力対象画面ＩＤ７１と、図７に示すような印刷画面７６を示す情報である出力対象画面情報７２と、を含む、画面管理情報７０を記憶する。
【００４３】
そして、本実施形態では、ユーザインタフェース決定部４１は、第１の画像処理用情報受付部４０−１が受け付けたコマンド情報６２とファイル所在情報６３とに基づいて、図７に示すような印刷画面７６を、印刷装置３が表示出力すべき画面として決定する。
【００４４】
そして、利用者が、図５（ｃ）に示すような、ＩＣカード情報出力用画面６７が携帯情報端末２のＵＩ部２２上に表示出力された携帯情報端末２の入出力部２４を、印刷装置３の入出力部３４にかざすと、携帯情報端末２のユーザインタフェース特定情報出力部４２は、印刷装置３のユーザインタフェース特定情報受付部４３に、図７に示すような印刷画面７６に対応する出力対象画面ＩＤ７１を出力する。すなわち、印刷装置３のユーザインタフェース特定情報受付部４３は、携帯情報端末２のユーザインタフェース特定情報出力部４２から、図７に示すような印刷画面７６に対応する出力対象画面ＩＤ７１を受け付ける。
【００４５】
なお、本実施形態では、ユーザインタフェース特定情報出力部４２は、出力対象画面ＩＤ７１（ユーザインタフェース特定情報）を出力するが、例えば、出力対象画面情報７２（ユーザインタフェース情報）や、第１の画像処理用情報６０−１などを出力するようにしてもよい。また、本実施形態では、ユーザインタフェース特定情報受付部４３は、出力対象画面ＩＤ７１（ユーザインタフェース特定情報）を受け付けるが、例えば、出力対象画面情報７２（ユーザインタフェース情報）や、第１の画像処理用情報６０−１などを受け付けるようにしてもよい。
【００４６】
ユーザインタフェース情報取得部４５は、印刷装置３の制御部３０を主として実現される。ユーザインタフェース情報取得部４５は、ユーザインタフェース特定情報により特定されるユーザインタフェースを示すユーザインタフェース情報を、ユーザインタフェース情報記憶部４４から取得する。
【００４７】
本実施形態では、具体的には、例えば、ユーザインタフェース情報取得部４５は、ユーザインタフェース特定情報受付部４３が、印刷画面７６に対応する出力対象画面ＩＤ７１を受け付けた際に、印刷画面７６に対応する出力対象画面ＩＤ７１に関連付けられた出力対象画面情報７２をユーザインタフェース情報記憶部４４から取得する。
【００４８】
ユーザインタフェース提示部４６は、印刷装置３の制御部３０とＵＩ部３２とを主として実現される。ユーザインタフェース提示部４６は、ユーザインタフェース特定情報により特定されるユーザインタフェースを提示する。具体的には、例えば、ユーザインタフェース提示部４６は、出力対象画面ＩＤ７１により特定される出力対象画面（本実施形態では、すなわち、図７に示すような印刷画面７６）を印刷装置３が備えるディスプレイなどのＵＩ部３２に表示出力する。このように、ユーザインタフェース提示部４６は、ユーザインタフェース情報取得部４５が取得したユーザインタフェース情報が示すユーザインタフェースを提示してもよい。
【００４９】
また、ユーザインタフェース提示部４６は、ユーザインタフェース情報と第１の画像処理用情報６０−１とに基づくユーザインタフェースを提示してもよい。具体的には、例えば、図７に示すような印刷画面７６と、「提案書」というファイルの名称を示すファイル所在情報６３を含む第１の画像処理用情報６０−１とに基づいて、図８に示すような印刷画面７６を生成して、印刷装置３が備えるディスプレイなどのＵＩ部３２に表示出力するようにしてもよい。
【００５０】
第２の画像処理用情報受付部４０−２は、印刷装置３の制御部３０とＵＩ部３２とを主として実現される。第２の画像処理用情報受付部４０−２は、ユーザインタフェース提示部４６により提示されるユーザインタフェースを介して、画像処理に用いる第２の画像処理用情報６０−２を利用者から受け付ける。
【００５１】
図９は、第２の画像処理用情報６０−２のデータ構造の一例を示す図である。本実施形態では、図９に示すように、第２の画像処理用情報６０−２は、コマンド制御情報７７を含んでいる。コマンド制御情報７７は、第１の画像処理用情報６０−１に含まれるコマンド情報６２が示すコマンドの実行を制御するための情報である。
【００５２】
本実施形態では、図７に示すような印刷画面７６に含まれる、実行ボタン７４は、コマンド情報６２が示すコマンドの「実行」を示すコマンド制御情報７７と関連付けられており、中止ボタン７５は、コマンド情報６２が示すコマンドの「中止」を示すコマンド制御情報７７と関連付けられている。そして、例えば、図７に示すような印刷画面７６が印刷装置３のＵＩ部３２に表示出力されている場合に、利用者が、実行ボタン７４を押下すると、第２の画像処理用情報受付部４０−２は、コマンド情報６２が示すコマンドの「実行」を示すコマンド制御情報７７を受け付ける。ここで、利用者が、中止ボタン７５を押下すると、第２の画像処理用情報受付部４０−２は、コマンド情報６２が示すコマンドの「中止」を示すコマンド制御情報７７を受け付ける。
【００５３】
画像処理用情報記憶部４７は、印刷管理装置４が備える記憶装置を主として実現される。画像処理用情報記憶部４７は、後述する画像処理用情報出力部４８が出力する第１の画像処理用情報６０−１を記憶する。
【００５４】
画像処理用情報出力部４８は、携帯情報端末２の制御部２０と通信部２３と入出力部２４とを主として実現される。画像処理用情報出力部４８は、画像処理用情報取得部５０が取得する第１の画像処理用情報６０−１を画像処理用情報記憶部４７に出力する。このとき、画像処理用情報出力部４８は、ネットワーク６を経由して第１の画像処理用情報６０−１を画像処理用情報記憶部４７に出力するようにしてもよい。また、画像処理用情報出力部４８は、その第１の画像処理用情報６０−１に対応する識別子を、ネットワーク６を経由しないで、入出力部２４により、印刷装置３に出力する。
【００５５】
識別子受付部４９は、印刷装置３の制御部３０と入出力部３４を主として実現される。識別子受付部４９は、画像処理用情報出力部４８が出力する識別子を、ネットワーク６を経由しないで、入出力部３４により受け付ける。
【００５６】
本実施形態では、具体的には、例えば、利用者が図５（ｂ）に示すような、印刷対象ファイル選択画面６６が、携帯情報端末２のＵＩ部２２上に表示出力されている状況において、第１の画像処理用情報受付部４０−１が、「提案書」と表示されているリンク６４に関連付けられたファイル所在情報６３を受け付けた場合は、値が「１」であるジョブＩＤ６１と、「印刷」を示すコマンド情報６２と、「提案書」という名称のファイルのファイルサーバ５内におけるパスを示すファイル所在情報６３とを含む第１の画像処理用情報６０−１を画像処理用情報記憶部４７に出力する。なお、このとき、印刷管理装置４が、携帯情報端末２の要求に応じて、新たなジョブＩＤ６１を生成して携帯情報端末２に出力するようにしてもよい。
【００５７】
また、利用者が、図５（ｃ）に示すような、ＩＣカード情報出力用画面６７が携帯電話端末２のＵＩ部２２上に表示出力された携帯情報端末２の入出力部２４を、印刷装置３の入出力部３４にかざすと、携帯情報端末２の画像処理用情報出力部４８は、具体的には、例えば、値が「１」であるジョブＩＤ６１を印刷装置３の識別子受付部４９に出力する。すなわち、印刷装置３の識別子受付部４９は、値が「１」であるジョブＩＤ６１を携帯情報端末２から受け付ける。
【００５８】
画像処理用情報取得部５０は、印刷装置３の制御部３０と通信部３３とを主として実現される。画像処理用情報取得部５０は、識別子受付部４９が受け付ける識別子に対応する第１の画像処理用情報６０−１を画像処理用情報記憶部４７から取得する。このとき、画像処理用情報取得部５０は、ネットワーク６を経由して第１の画像処理用情報６０−１を画像処理用情報記憶部４７から取得するようにしてもよい。
【００５９】
具体的には、例えば、識別子受付部４９が、値が「１」であるジョブＩＤ６１を携帯情報端末２から受け付けた際に、画像処理用情報取得部５０は、画像処理用情報記憶部４７から、上述したような、値が「１」であるジョブＩＤ６１を含む第１の画像処理用情報６０−１を取得する。
【００６０】
画像処理実行部５１は、画像処理用情報取得部５０が取得した第１の画像処理用情報６０−１、及び、第２の画像処理用情報受付部４０−２が受け付けた第２の画像処理用情報６０−２を用いて、画像処理を実行する。
【００６１】
本実施形態では、具体的には、例えば、値が「１」であるジョブＩＤ６１と、「印刷」を示すコマンド情報６２と、「提案書」という名称のファイルのファイルサーバ５内におけるパスを示すファイル所在情報６３とを含む第１の画像処理用情報６０−１、及び、コマンド情報６２が示すコマンドの「実行」を示すコマンド制御情報７７を含む第２の画像処理用情報６０−２を用いて、このファイル所在情報６３によって示されるパスに存在するファイル（名称が「提案書」であるファイル）を印刷装置３のプリンタ部３５から印刷する。なお、画像処理実行部５１は、第１の画像処理用情報６０−１や第２の画像処理用情報６０−２以外の情報を用いて画像処理を実行してももちろん構わない。
【００６２】
次に、ファイルサーバ５が備える記憶装置に記憶された「提案書」という名称のファイルを携帯情報端末２によって指定して、そのファイルの内容を印刷装置３から印刷する際の処理の流れの一具体例を図１０に示すフロー図を参照しながら説明する。
【００６３】
まず、携帯情報端末２の第１の画像処理用情報受付部４０−１が、携帯情報端末２が備える液晶ディスプレイなどのＵＩ部２２に、図５（ａ）に示すようなコマンド受付画面６５を表示出力する（Ｓ１０１）。ここで、利用者が「印刷」と表示されているリンク６４をクリックすると、携帯情報端末２の第１の画像処理用情報受付部４０−１は、「印刷」を示すコマンド情報６２を受け付ける（Ｓ１０２）。
【００６４】
そして、携帯情報端末２の第１の画像処理用情報受付部４０−１が、携帯情報端末２が備える液晶ディスプレイなどのＵＩ部２２に、図５（ｂ）に示すような印刷対象ファイル選択画面６６を表示出力する（Ｓ１０３）。ここで、利用者が「提案書」と表示されているリンク６４をクリックすると、携帯情報端末２の第１の画像処理用情報受付部４０−１は、「提案書」のファイルサーバ５内におけるパスを示すファイル所在情報６３を受け付ける（Ｓ１０４）。
【００６５】
そして、携帯情報端末２の画像処理用情報出力部４８は、値が「１」であるジョブＩＤ６１と、「印刷」を示すコマンド情報６２と、「提案書」という名称のファイルのファイルサーバ５内におけるパスを示すファイル所在情報６３とを含む第１の画像処理用情報６０−１を印刷管理装置４の画像処理用情報記憶部４７に出力する（Ｓ１０５）。
【００６６】
そして、携帯情報端末２のユーザインタフェース決定部４１は、上記のコマンド情報６２と、ファイル所在情報６３と、に基づいて、印刷画面７６（図７参照）を、印刷装置３が表示出力すべき画面として決定する（Ｓ１０６）。
【００６７】
そして、携帯情報端末２のユーザインタフェース特定情報出力部４２は、印刷管理装置４のユーザインタフェース情報記憶部４４に、印刷画面７６に対応する出力対象画面ＩＤ７１を問い合わせ、印刷管理装置４のユーザインタフェース情報記憶部４４から、値が「００１」である出力対象画面ＩＤ７１を取得する（Ｓ１０７）。
【００６８】
そして、携帯情報端末２のユーザインタフェース特定情報出力部４２は、図５（ｃ）に示すような、ＩＣカード情報出力用画面６７を、携帯情報端末２のＵＩ部２２上に表示出力する（Ｓ１０８）。
【００６９】
ここで、利用者が、携帯情報端末２の入出力部２４を、印刷装置３の入出力部３４にかざすと、携帯情報端末２のユーザインタフェース特定情報出力部４２は、値が「００１」である出力対象画面ＩＤ７１を印刷装置３のユーザインタフェース特定情報受付部４３に出力する。すなわち、印刷装置３のユーザインタフェース特定情報受付部４３は、値が「００１」である出力対象画面ＩＤ７１を受け付ける（Ｓ１０９）。
【００７０】
また、このとき、携帯情報端末２の画像処理用情報出力部４８は、値が「１」であるジョブＩＤ６１を印刷装置３の識別子受付部４９に出力する。すなわち、印刷装置３の識別子受付部４９は、値が「１」であるジョブＩＤ６１を受け付ける（Ｓ１１０）。
【００７１】
そして、印刷装置３のユーザインタフェース情報取得部４５は、ユーザインタフェース情報記憶部４４から、値が「００１」である出力対象画面ＩＤ７１に関連付けられた、図７に示すような印刷画面７６を示す情報である出力対象画面情報７２を取得する（Ｓ１１１）。
【００７２】
そして、印刷装置３の画像処理用情報取得部５０は、画像処理用情報記憶部４７から、値が「１」であるジョブＩＤ６１と、「印刷」を示すコマンド情報６２と、「提案書」という名称のファイルのファイルサーバ５内におけるパスを示すファイル所在情報６３とを含む第１の第１の画像処理用情報６０−１を取得する（Ｓ１１２）。
【００７３】
そして、印刷装置３のユーザインタフェース提示部４６は、Ｓ１１０に示す処理で取得した出力対象画面情報７２と、Ｓ１１０に示す処理で取得した第１の画像処理用情報６０−１と、に基づいて、図８に示すような印刷画面７６を生成して、印刷装置３が備えるディスプレイなどのＵＩ部３２に表示出力する（Ｓ１１３）。
【００７４】
そして、利用者が、印刷装置３のＵＩ部３２に表示出力された印刷画面７６内の実行ボタン７４を押下すると、第２の画像処理用情報受付部４０−２は、コマンド情報６２が示すコマンドの「実行」を示すコマンド制御情報７７を受け付ける（Ｓ１１４）。
【００７５】
そして、印刷装置３の画像処理実行部５１は、「提案書」という名称のファイルのファイルサーバ５内におけるパスを示すファイル所在情報６３に基づいて、「提案書」という名称のファイルをファイルサーバ５から取得し、このファイルの内容を印刷装置３のプリンタ部３５から印刷出力する（Ｓ１１５）。
【００７６】
なお、本発明は上記実施形態に限定されるものではない。
【００７７】
また、例えば、上記実施形態における携帯情報端末２と印刷装置３との役割を逆転させるようにしても構わない。具体的には、例えば、用紙入力部（例えば、スキャナ部）を備える画像処理装置によって、印刷物をスキャンすることによって生成される文書ファイルのファイルサーバ５内の格納先を携帯情報端末２によって指定して、指定されたファイルサーバ５内の格納先にスキャンされた文書ファイルを格納するようにしても構わない。
【００７８】
このことからわかるように、上記実施形態における画像処理システム１は、携帯情報端末２や、印刷装置３の代わりに、一般的な画像処理装置を含んで構成されても構わない。
【００７９】
また、画像処理システム１は、ユーザインタフェース情報取得部４５を含まない構成としてもよい。このとき、携帯情報端末２のユーザインタフェース特定情報出力部４２が、ユーザインタフェース情報を印刷装置３のユーザインタフェース特定情報受付部４３に出力しても構わない。すなわち、印刷装置３のユーザインタフェース特定情報受付部４３がユーザインタフェース情報を印刷装置３のユーザインタフェース特定情報受付部４３から受け付けるようにしても構わない。
【００８０】
また、画像処理システム１は、画像処理用情報記憶部４７や、画像処理用情報出力部４８や、識別子受付部４９や、画像処理用情報取得部５０を含まない構成としてもよい。このとき、携帯情報端末２のユーザインタフェース特定情報出力部４２が、第１の画像処理用情報６０−１を印刷装置３のユーザインタフェース特定情報受付部４３に出力しても構わない。すなわち、印刷装置３のユーザインタフェース特定情報受付部４３が第１の画像処理用情報６０−１を印刷装置３のユーザインタフェース特定情報受付部４３から受け付けるようにしても構わない。
【００８１】
また、上記実施形態では、各種情報のデータ構造の表現はあくまでも一例であり、他のデータ構造により実装してももちろん構わない。
【００８２】
また、ユーザインタフェース情報記憶部４４、画像処理用情報記憶部４７、ファイルサーバ５が備える記憶装置、のうちのいくつかを画像処理システム１外の別のコンピュータに設け、携帯情報端末２と通信部２３を介して通信し、印刷装置３と通信部３３を介して通信する構成とした、分散型情報処理システムに本発明を適用してもよい。
【００８３】
また、携帯情報端末２や印刷装置３は、一つの筐体により構成されていても、複数の筐体により構成されていてもよい。
【００８４】
また、上記実施形態では、画像処理の対象としてファイルを挙げたが、ファイル以外の情報に対して、本発明を適用してもよい。
【００８５】
また、上記実施形態以外の利用シーンにおいて本発明を適用してもよい。具体的には、例えば、携帯情報端末２で承認依頼のジョブを受信して、その携帯情報端末２を利用者が印刷装置３にかざして、印刷装置３が承認対象の文書を印刷して、印刷された文書に利用者が承認印を押印して、その文書を印刷装置３がスキャンして、利用者が携帯情報端末２でスキャンされた文書に対応するファイルのファイルサーバ５内における格納先を指定して、指定された格納先にスキャンされた文書に対応するファイルを格納するようにしても構わない。また、ジョブＩＤ６１を複数の利用者によって引き継ぎながら一連のワークフローを実行するようにしても構わない。
【図面の簡単な説明】
【００８６】
【図１】本発明の一実施形態に係る画像処理システムのネットワーク構成の一例を示す図である。
【図２】本発明の一実施形態に係る携帯情報端末及び印刷装置のハードウェア構成の一例を示す図である。
【図３】本発明の一実施形態に係る画像処理システムの機能ブロックの一例を示す図である。
【図４】第１の画像処理用情報のデータ構造の一例を示す図である。
【図５】コマンド受付画面、印刷対象ファイル選択画面、及びＩＣカード情報出力用画面の一例を示す図である。
【図６】印刷管理情報のデータ構造の一例を示す図である。
【図７】印刷画面の一例を示す図である。
【図８】印刷画面の一例を示す図である。
【図９】第２の画像処理用情報のデータ構造の一例を示す図である。
【図１０】画像処理システムで行われる処理の流れの一例を示すフロー図である。
【符号の説明】
【００８７】
１  画像処理システム、２  携帯情報端末、３  印刷装置、４  印刷管理装置、５  ファイルサーバ、６  通信網（ネットワーク）、７  ＬＡＮ（ローカル・エリア・ネットワーク）、２０  制御部、２１  記憶部、２２  ユーザインタフェース（ＵＩ）部、２３  通信部、２４  入出力部、２６  バス、３０  制御部、３１  記憶部、３２  ユーザインタフェース（ＵＩ）部、３３  通信部、３４  入出力部、３５  プリンタ部、３６  バス、４０−１  第１の画像処理用情報受付部、４０−２  第２の画像処理用情報受付部、４１  ユーザインタフェース決定部、４２  ユーザインタフェース特定情報出力部、４３  ユーザインタフェース特定情報受付部、４４  ユーザインタフェース情報記憶部、４５  ユーザインタフェース情報取得部、４６  ユーザインタフェース提示部、４７  画像処理用情報記憶部、４８  画像処理用情報出力部、４９  識別子受付部、５０  画像処理用情報取得部、５１  画像処理実行部、６０−１  第１の画像処理用情報、６０−２  第２の画像処理用情報、６１  ジョブ識別子（ジョブＩＤ）、６２  コマンド情報  ６３  ファイル所在情報、６４  リンク、６５  コマンド受付画面、６６  印刷対象ファイル選択画面、６７  ＩＣカード情報出力用画面、７０  画面管理情報、７１  出力対象画面識別子（出力対象画面ＩＤ）、７２  出力対象画面情報、７３  メッセージ表示部、７４  実行ボタン、７５  中止ボタン、７６  印刷画面、７７  コマンド制御情報。
【図１】
0005004023.tif 000002
【図２】
0005004023.tif 000003
【図３】
0005004023.tif 000004
【図４】
0005004023.tif 000005
【図５】
0005004023.tif 000006
【図６】
0005004023.tif 000007
【図７】
0005004023.tif 000008
【図８】
0005004023.tif 000009
【図９】
0005004023.tif 000010
【図１０】
0005004023.tif 000011